(57)【要約】【課題】操作体の回転を検出する回転検出部材を操作体から離隔させて配置できる入力装置の提供。【解決手段】基台１と、この基台１に保持された取付部材１７と、この取付部材１７に回転可能に保持された操作つまみ２０と、この操作つまみ２０の回転を検出する第１回転検出部材である第１皿ばね１２等を含む第１プッシュスイッチと、第２回転検出部材である第２皿ばね１４等を含む第２プッシュスイッチと、操作つまみ２０の所定の一方向の回転に伴って第１プッシュスイッチを駆動する第１カム部材２２及び第１揺動部材３２から成る第１駆動部材と、操作つまみ２０の逆方向の回転に伴って第２プッシュスイッチを駆動する第２カム部材２４及び第２揺動部材３４から成る第２駆動部材とを備えた。【選択図】図１
2005302569.tif 000002
【特許請求の範囲】
【請求項１】
基台と、この基台に保持された取付部材と、この取付部材に回転可能に保持された操作体と、この操作体の回転を検出する回転検出部材とを備え、
この回転検出部材を上記基台に配置し、
上記操作体の回転に伴って上記回転検出部材を駆動する駆動部材を設けたことを特徴とする入力装置。
【請求項２】
上記請求項１記載の発明において、
上記駆動部材が、
上記操作体の回転に伴って回転可能なカム部材と、
上記基台に揺動可能に設けられ、上記カム部材に係合する係合部、及び上記回転検出部材を駆動可能な揺動部を有する揺動部材とを含むことを特徴とする入力装置。
【請求項３】
上記請求項２記載の発明において、
上記回転検出部材がプッシュスイッチから成ることを特徴とする入力装置。
【請求項４】
上記請求項３記載の発明において、
上記カム部材、上記揺動部材、及び上記プッシュスイッチをそれぞれ２つずつ備え、
上記カム部材のうちの第１カム部材と上記操作体とを、上記第１カム部材の回転方向を所定の一方向に制限する第１ラチェット機構を介して連結し、
上記カム部材のうちの第２カム部材と上記操作体とを、上記第２カム部材の回転方向を上記所定の一方向とは逆方向に制限する第２ラチェット機構を介して連結し、
上記第１カム部材の回転を、上記揺動部材のうちの第１揺動部材と、上記プッシュスイッチのうちの第１プッシュスイッチを介して検出し、
上記第２カム部材の回転を、上記揺動部材のうちの第２揺動部材と、上記プッシュスイッチのうちの第２プッシュスイッチを介して検出することを特徴とする入力装置。
【請求項５】
上記請求項１〜４のいずれか１項記載の発明において、
上記取付部材を上記基台に対して昇降可能に保持させると共に、
上記取付部材の昇降に伴って駆動する昇降検出部材を備え、
上記駆動部材が、上記取付部材の昇降の際に上記回転検出部材を駆動しないように規制可能な手段を含むことを特徴とする入力装置。
【請求項６】
上記請求項５記載の発明において、
上記昇降検出部材がプッシュスイッチから成ることを特徴とする入力装置。
【請求項７】
上記請求項３または６記載の発明において、
上記プッシュスイッチが、固定接点と可動接点から成ると共に、
これらの固定接点と可動接点とを覆う防塵部材を備えたことを特徴とする入力装置。
【発明の詳細な説明】
【技術分野】
【０００１】
本発明は、操作体の回転に伴って信号を出力する回転検出部材を備えた入力装置に関する。
【背景技術】
【０００２】
この種の従来技術として、例えば特許文献１に記載の技術がある。この従来技術は、基台を構成する取付板上に、取付部材すなわち枠体を保持させ、この枠体に操作体すなわち円筒形状の操作つまみを回転可能に保持させ、この操作つまみの回転を検出する回転検出部材、すなわちロータリエンコーダを操作つまみの端部に形成される空間内に収納させた構成にしてある。
【０００３】
このように構成した従来技術では、操作つまみを回転させると、その回転がロータリエンコーダで検出され、このロータリエンコーダに接続された配線を介して回転信号が出力されるようになっている。
【特許文献１】特開２００３−９２０４７公報
【発明の開示】
【発明が解決しようとする課題】
【０００４】
上述した従来技術は、回転検出部材であるロータリエンコーダを操作体である操作つまみの端部の空間内に収納させた構成であることから、操作つまみの外径寸法がロータリエンコーダの形状寸法によって制約を受け、このために装置の薄型化が困難な問題がある。
【０００５】
また、ロータリエンコーダが、操作つまみの端部に位置していることから、ロータリエンコーダに接続される配線の取り回しが煩雑になり、構造上不安定な配線接続になりやすい。これに伴って、信号出力系統に故障を生じる虞があった。
【０００６】
本発明は、上述した従来技術における実状からなされたもので、その目的は、操作体の回転を検出する回転検出部材を操作体から離隔させて配置できる入力装置を提供することにある。
【課題を解決するための手段】
【０００７】
上記目的を達成するために、本発明は、基台と、この基台に保持された取付部材と、この取付部材に回転可能に保持された操作体と、この操作体の回転を検出する回転検出部材とを備え、この回転検出部材を上記基台に配置し、上記操作体の回転に伴って上記回転検出部材を駆動する駆動部材を設けたことを特徴としている。
【０００８】
このように構成した本発明は、操作体と回転検出部材との間に、操作体の回転を回転検出部材の駆動力として伝える駆動部材を設けたことから、回転検出部材を操作体とは異なる位置に配置することができる。すなわち、回転検出部材を操作体から離隔させた基台の位置に設けることができる。したがって、操作体の外径寸法が回転検出部材の形状寸法によって制約を受けることがなく、この操作体の外径寸法を操作が可能な範囲内の小寸法に設定することができる。また、回転検出部材に接続される配線を基台に設けることができる。
【０００９】
また、本発明は、上記発明において、上記駆動部材が、上記操作体の回転に伴って回転可能なカム部材と、上記基台に揺動可能に設けられ、上記カム部材に係合する係合部、及び上記回転検出部材を駆動可能な揺動部を有する揺動部材とを含むことを特徴としている。
【００１０】
このように構成した本発明は、操作体を回転させるとカム部材が回転し、カム部材と係合する係合部を介して揺動部材が揺動し、その揺動部が回転検出部材を駆動する。すなわち、操作体の回転を揺動部材の揺動部の略直線的な動きに変えて回転検出部材に伝えることができる。
【００１１】
また、本発明は、上記発明において、上記回転検出部材がプッシュスイッチから成ることを特徴としている。このように構成した本発明は、回転検出部材を簡単な構成とすることができる。
【００１２】
また、本発明は、上記発明において、上記カム部材、上記揺動部材、及び上記プッシュスイッチをそれぞれ２つずつ備え、上記カム部材のうちの第１カム部材と上記操作体とを、上記第１カム部材の回転方向を所定の一方向に制限する第１ラチェット機構を介して連結し、上記カム部材のうちの第２カム部材と上記操作体とを、上記第２カム部材の回転方向を上記所定の一方向とは逆方向に制限する第２ラチェット機構を介して連結し、上記第１カム部材の回転を、上記揺動部材のうちの第１揺動部材と、上記プッシュスイッチのうちの第１プッシュスイッチを介して検出し、上記第２カム部材の回転を、上記揺動部材のうちの第２揺動部材と、上記プッシュスイッチのうちの第２プッシュスイッチを介して検出することを特徴としている。
【００１３】
このように構成した本発明は、操作体を所定の一方向に回転させると、第１ラチェット機構を介して第１カム部材が所定の一方向に回転し、この第１カム部材の回転が第１揺動部材の揺動部の第１プッシュスイッチに対する押圧動作として伝えられる。したがって、第１プッシュスイッチから所定の一方向の回転に応じた信号が出力される。また、操作体を所定の一方向とは逆方向に回転させると、第２ラチェット機構を介して第２カム部材が上述の逆方向に回転し、この第２カム部材の回転が第２揺動部材の揺動部の第２プッシュスイッチに対する押圧動作として伝えられる。したがって、第２プッシュスイッチから上述の逆方向の回転に応じた信号が出力される。このように、第１プッシュスイッチ、第２プッシュスイッチのそれぞれによって、操作体の回転方向も簡単に検出することができる。
【００１４】
また、本発明は、上記発明において、上記取付部材を上記基台に対して昇降可能に保持させると共に、上記取付部材の昇降に伴って駆動する昇降検出部材を備え、上記駆動部材が、上記取付部材の昇降の際に上記回転検出部材を駆動しないように規制可能な手段を含むことを特徴としている。
【００１５】
このように構成した本発明は、操作体を押圧すると、この操作体と共に取付部材が昇降し、この取付部材によって昇降検出部材が駆動する。すなわち、操作体の回転と昇降の双方を検出できる複合操作型電気部品として活用できる。また、取付部材の昇降の際に上述の駆動部材は回転検出部材を駆動しないように規制される。したがって、この取付部材の昇降の間に、回転検出部材から信号を出力させないようにすることができる。
【００１６】
また、本発明は、上記発明において、上記昇降検出部材がプッシュスイッチから成ることを特徴としている。このように構成した本発明は、昇降検出部材を簡単な構成とすることができる。
【００１７】
また、本発明は、上記発明において、上記プッシュスイッチが、固定接点と可動接点から成ると共に、これらの固定接点と可動接点とを覆う防塵部材を備えたことを特徴としている。このように構成した本発明は、防塵部材により優れた耐塵埃性を確保できる。
【発明の効果】
【００１８】
本発明は、回転検出部材を操作体から離隔して配置させることができるので、操作体の外径寸法が回転検出部材の形状寸法によって制約を受けることがなく、この操作体の外径寸法を必要最小限の寸法に設定できる。これにより、従来では困難であった装置の薄型化を実現できる。また、回転検出部材に接続される配線を基台に設けることができるので、簡単で安定した配線接続構造を実現でき、信号出力系統に対する高い信頼性を確保できる。
【００１９】
また、本発明は、取付部材を基台に対して昇降可能に保持させると共に、取付部材の昇降に伴って駆動する昇降検出部材を備え、駆動部材が、取付部材の昇降の際に回転検出手段を駆動しないように規制可能な手段を含むようにしたことから、操作体の回転と昇降の双方を検出でき複合操作型電気部品として活用できる。これにより優れた検出機能を確保できると共に、複合操作型電気部品における薄型化を実現できる。また、取付部材の昇降の間に、回転検出部材から信号を出力させないようにすることができ、安定した信号出力性能を確保できる。
【発明を実施するための最良の形態】
【００２０】
以下，本発明に係る入力装置を実施するための最良の形態を図に基づいて説明する。
【００２１】
図１は本発明の入力装置の一実施形態を示す分解斜視図、図２は本実施形態の組立斜視図、図３は本実施形態の要部斜視図である。図４は本実施形態に備えられる基台を示す斜視図、図５は図１の背面側から見た断面部分を含む斜視図である。図６は本実施形態に備えられる回転軸、操作つまみ、及びカム部材を示す分解斜視図、図７は本実施形態に備えられるカム部材と揺動部材の関係を示す斜視図である。
【００２２】
［本実施形態の構成］
図１に示すように、ベース部材である基台１の底面には、第１凹部２と、第２凹部３と、第３凹部４とを形成してある。この基台１の一方の側壁の手前側位置には、第１長穴５を形成してあり、奥側位置には軸穴７を形成してある。第１長穴５の近傍位置にも軸穴９を形成してある。また、基台１の他方の側壁の手前側位置には、第２長穴６を形成してあり、奥側位置には軸穴８を形成してある。第２長穴６の近傍位置にも軸穴１０を形成してある。
【００２３】
図４に詳細を示すように、基台１の第１凹部２には、円形穴が形成され、この円形穴内に中央固定接点２ａと、周辺固定接点２ｂ，２ｃとを配置してある。第２凹部３にも円形穴が形成され、この円形穴内に中央固定接点３ａと、周辺固定接点３ｂ，３ｃとを配置してある。さらに、第３凹部４にも円形穴が形成され、この円形穴内に、中央固定接点４ａと、周辺固定接点４ｂ，４ｃとを配置してある。
【００２４】
第１凹部２には図１に示す第１皿ばね１２を覆う第１接着シート１１が接着される。第１皿ばね１２の裏側には、上述の中央固定接点２ａに接離する可動接点が設けられている。第１皿ばね１２は、上述の周辺固定接点２ｂ，２ｃに常時接触するように配置してある。上述した第１皿ばね１２と、中央固定接点２ａと、周辺固定接点２ｂ，２ｃとによって、第１プッシュスイッチが構成されている。また、第１接着シート１１は、第１プッシュスイッチを覆う防塵部材を構成している。
【００２５】
第２凹部３には図１に示す第２皿ばね１４を覆う第２接着シート１３が接着される。第２皿ばね１４の裏側には、上述の中央固定接点３ａに接離する可動接点が設けられている。第２皿ばね１４は、上述の周辺固定接点３ｂ，３ｃに常時接触するように配置してある。上述した第２皿ばね１４と、中央固定接点３ａと、周辺固定接点３ｂ，３ｃとによって、第２プッシュスイッチが構成されている。また、第２接着シート１３は、第２プッシュスイッチを覆う防塵部材を構成している。
【００２６】
同様に、第３凹部４には図１に示す第３皿ばね１６を覆う第３接着シート１５が接着される。第３皿ばね１６の裏側には、上述の中央固定接点４ａに接離する可動接点が設けられている。第３皿ばね１６は、上述の周辺固定接点４ｂ，４ｃに常時接触するように配置してある。上述した第３皿ばね１６と、中央固定接点４ａと、周辺固定接点４ｂ，４ｃとによって、第３プッシュスイッチが構成されている。また、第３接着シート１５は、第３プッシュスイッチを覆う防塵部材を構成している。
【００２７】
上述の基台１に昇降可能に保持される図１に示す取付部材１７は、第１分割部１８と第２分割部１９とから成っている。第１分割部１８の軸部１８ａ，１８ｂのそれぞれが第２分割部１９の側部に形成された軸穴のそれぞれに嵌入され、また第２分割部１９の軸部１９ａが第１分割部１８の側部に形成された軸穴１８ｃに嵌入され、これらによって第１分割部１８と第２分割部１９とが一体化され、１つの取付部材１７が形成されている。
【００２８】
この取付部材１７を構成する第１分割部１８の側部に形成した軸部１８ｅが基台１の軸穴７に挿入され、軸部１８ｆが基台１の第１長穴５に挿入される。同様に、第２分割部１９の側部に形成した軸部１９ｃが基台１の軸穴８に挿入され、軸部１９ｄが基台１の第２長穴６に挿入される。
【００２９】
図３に示すように、取付部材１７を構成する第２分割部１８の下面には、第３プッシュスイッチの第３皿ばね１６を押圧可能な押圧突起１９ｅを形成してある。取付部材１７の下降に伴う押圧突起１９ｅの押圧力により第３皿ばね１６が撓み、その可動接点が上述の図４に示す中央固定接点４ａに導通し、この第３プッシュスイッチはオンとなる。押圧突起１９ｅの押圧力を解くことにより、第３皿ばね１６は自身の弾性力によって初期形態に復帰し、取り付け部材１７が初期位置まで上昇し、第３皿ばね１６の可動接点が中央固定接点４ａから離れ、この第３プッシュスイッチはオフとなる。すなわち、第３プッシュスイッチは、取付部材１７の昇降に伴って、駆動、すなわちオン、オフする昇降検出部材を構成している。
【００３０】
図１等に示す操作体、例えば円筒形状の操作つまみ２０は、回転軸２１を介して取付部材１７に回転可能に保持させてある。回転軸２１の一方の端部２１ａは、取付部材１７を構成する第１分割部１８の回転軸穴１８ｄに嵌入され、他方の軸部２１ｂは、取付部材１７を構成する第２分割部１９の回転軸穴１９ｂに嵌入される。回転軸２１の一端側には、第１ラチェット機構２７と、この第１ラチェット機構２７を付勢する第１ラチェットばね２８を装着させてあり、回転軸２１の他端側には、第２ラチェット機構３０と、この第２ラチェット機構３０を付勢する第２ラチエットばね３１を装着させてある。これらの第１ラチエット機構２７、第１ラチェットばね２８、第２ラチェット機構３０、及び第２ラチェットばね３１は、操作つまみ２０の内部に収容されている。
【００３１】
また、図１，６に示すように、上述した第１ラチェット機構２７の構成部材と一体に第１つば部２３を設けてあり、この第１つば部２３と一体に円滑な凹凸のカム面２２ａを有する第１カム部材２２を設けてある。これらの第１つば部２３及び第１カム部材２２は、回転軸２１の一端側に回転可能に装着させてある。同様に、上述した第２ラチェット機構３０の構成部材と一体に第２つば部２５を設けてあり、この第２つば部２５と一体に円滑な凹凸を有するカム面２４ａを有する第２カム部材２４を設けてある。これらの第２つば部２５及び第２カム部材２４は、回転軸２１の他端側に回転可能に装着させてある。
【００３２】
また、操作つまみ２０を回転軸２１に取り付けた状態では、図２，３に例示するように、第１つば部２３は操作つまみ２０の一側部を形成し、第２つば部２５は操作つまみ２０の他側部を形成する。操作つまみ２０と第１カム部材２２とは、後述するように所定の一方向のみに第１つば部２３を介して一体的に回転可能となっており、また、操作つまみ２０と第２カム部材２４は、後述するように所定の一方向とは逆方向のみに第２つば部２５を介して一体的に回転可能となっている。
【００３３】
上述した第１ラチェット機構２７は、第１カム部材２２の回転方向を所定の一方向のみに、すなわち図１の矢印２６で示す方向に制限するものである。すなわち、操作つまみ２０を図１の矢印２６方向に回転させたときには、第１ラチェット機構２７、及び第１つば部２３を介して第１カム部材２２が矢印２６方向に回転する。しかし、矢印２６方向とは逆の方向である矢印２９方向に、操作つまみ２０を回転させたときには、第１ラチェット機構２７の内部に滑りを生じ、これに伴って第１ラチェットばね２８は縮み、第１カム部材２２は回転しない状態、すなわち静止状態に保たれる。
【００３４】
また、上述した第２ラチェット機構３０は、第２カム部材２４の回転方向を矢印２６で示す方向とは逆方向である矢印２９で示す方向のみに制限するものである。すなわち、操作つまみ２０を矢印２９方向に回転させたときには、第２ラチェット機構３０、及び第２つば部２５を介して第２カム部材２４が矢印２９方向に回転する。しかし、矢印２６方向に操作つまみ２０を回転させたときには、第２ラチェット機構３０の内部に滑りを生じ、これに伴って第２ラチェットばね３１が縮み、第２カム部材２４は回転しない状態、すなわち静止状態に保たれる。
【００３５】
上述した第１カム部材２２と第１プッシュスイッチとの間には、図１，７に示すように、第１揺動部材３２を配置してある。この第１揺動部材３２は、第１カム部材２２のカム面２２ａに係合する係合部３２ａと、第１プッシュスイッチの第１皿ばね１２を押圧可能な押圧突起３３ｅを有する揺動部３２ｂとを有し、一方の軸部３２ｃが図１の基台１の軸穴９に挿入され、他方の軸部３２ｄが基台１上に固定される図１に示す軸受部材３３の側部に形成した軸穴に挿入される。第１揺動部材３２の揺動部３２ｂの押圧突起３２ｅが第１プッシュスイッチの第１皿ばね１２の付勢力を受けることにより、この第１揺動部材３２の係合部３２ａは、第１カム部材２２のカム面２２ａに常時当接した状態に保持される。
【００３６】
同様に、第２カム部材２４と第２プッシュスイッチとの間には、図１に示すように、第２揺動部材３４を配置してある。この第２揺動部材３４は、第２カム部材２４のカム面２４ａに係合する係合部３４ａと、第２プッシュスイッチの第２皿ばね１４を押圧可能な押圧突起を有する揺動部３４ｂとを有し、一方の軸部３４ｃが図１の基台１の軸穴１０に挿入され、他方の軸部３４ｄが基台１上に固定される図示しない軸受部材の側部に形成した軸穴に挿入される。第２揺動部材３４の揺動部３４ｂの押圧突起が第２プッシュスイッチの第２皿ばね１４の付勢力を受けることにより、この第２揺動部材３４の係合部３４ａは、第２カム部材２４のカム面２４ａに常時当接した状態に保持される。
【００３７】
上述した第１皿ばね１２等を含む第１プッシュスイッチは、操作つまみ２０の図１に示す矢印２６方向の回転を検出する第１回転検出部材を構成し、上述した第２皿ばね１４等を含む第２プッシュスイッチは、操作つまみ２０の図１に示す矢印２９方向の回転を検出する第２回転検出部材を構成している。
【００３８】
また、上述した第１カム部材２２と第１揺動部材３２とは、操作つまみ２０の図１に示す矢印２６方向の回転に伴って、第１回転検出部材すなわち上述した第１皿ばね１２等を含む第１プッシュスイッチを駆動する第１駆動部材を構成している。同様に、上述した第２カム部材２４と第２揺動部材３４とは、操作つまみ２０の図１に示す矢印２９方向の回転に伴って、第２回転検出部材すなわち上述した第２皿ばね１４等を含む第２プッシュスイッチを駆動する第２駆動部材を構成している。
【００３９】
なお、第１駆動部材を構成する第１カム部材２２のカム面２２ａと、第１揺動部材３２の係合部３２ａとは、取付部材１７の昇降に際して、取付部材１７の昇降ストロークに応じた距離だけわずかながら、互いに滑り合って相対移動可能となっている。すなわち、これらの第１カム部材２２のカム面２２ａと第１揺動部材３２の係合部３２ａとにより、取付部材１７の昇降の際に第１皿ばね１２等を含む第１プッシュスイッチを駆動しないように規制可能な手段が構成されている。
【００４０】
同様に、第２駆動部材を構成する第２カム部材２４のカム面２４ａと、第２揺動部材３４の係合部３４ａとは、取付部材１７の昇降に際して、取付部材１７の昇降ストロークに応じた距離だけわずかながら、互いに滑り合って相対移動可能となっている。すなわち、これらの第２カム部材２４のカム面２４ａと第２揺動部材３４の係合部３４ａとにより、取付部材１７の昇降の際に第２皿ばね１４等を含む第２プッシュスイッチを駆動しないように規制可能な手段が構成されている。
【００４１】
［操作つまみの所定の一方向の回転の検出］
このように構成した本実施形態において、操作つまみ２０を図１の矢印２６方向に回転させると、上述したように第１ラチェット機構２７、第１つば部２３を介して第１カム部材２２が回転する。この第１カム部材２２の回転に伴い、第１揺動部材３２の係合部３２ａが第１カム部材２２の凹凸のカム面２２ａ上を相対的に摺動する。これにより第１揺動部材３２が揺動して、その揺動部３２ｂの押圧突起３２ｅが略直線的に昇降し、第１プッシュスイッチを構成する第１皿ばね１２を間欠的に押圧する。したがって、第１皿ばね１２が間欠的に撓んで、その可動接点が中央固定接点２ａに接触する。すなわち、第１プッシュスイッチはオン、オフを繰り返し、この第１プッシュスイッチから操作つまみ２０の回転に応じたパルス信号が出力される。このパルス信号に応じて、操作つまみ２０の回転角、及び矢印２６で示す回転方向が検出される。
【００４２】
なお、このような操作つまみ２０の図１に示す矢印２６方向の回転操作の間、上述したように第２ラチェット機構３０の働きにより、第２カム部材２４は回転せず、したがって第２揺動部材３４は揺動せず、第２皿ばね１４等を含む第２プッシュスイッチはオフに保たれる。また、操作つまみ２０が下方に押圧されない限りは、すなわち取付部材１７が下降しない限りは、第２分割部１９に設けた押圧突起１９ｅが第３皿ばね１６等を含む第３プッシュスイッチを駆動することがない。したがって、この第３プッシュスイッチもオフに保たれる。
【００４３】
［操作つまみの逆方向の回転の検出］
また、操作つまみ２０を図１の矢印２９方向に回転させると、上述したように第２ラチェット機構３０、第２つば部２５を介して第２カム部材２４が回転する。この第２カム部材２４の回転に伴い、第２揺動部材３４の係合部３４ａが第２カム部材２４の凹凸のカム面２４ａ上を相対的に摺動する。これにより第２揺動部材３４が揺動して、その揺動部３４ｂの押圧突起が略直線的に昇降し、第２プッシュスイッチを構成する第２皿ばね１４を間欠的に押圧する。したがって、第２皿ばね１４が間欠的に撓んで、その可動接点が中央固定接点３ａに接触する。すなわち、第２プッシュスイッチはオン、オフを繰り返し、この第２プッシュスイッチから操作つまみ２０の回転に応じたパルス信号が出力される。このパルス信号に応じて、操作つまみ２０の回転角、及び矢印２９で示す回転方向が検出される。
【００４４】
なお、このような操作つまみ２０の図１に示す矢印２９方向の回転操作の間、上述したように第１ラチェット機構２７の働きにより、第１カム部材２２は回転せず、したがって第１揺動部材３２は揺動せず、第１皿ばね１２等を含む第１プッシュスイッチはオフに保たれる。また、操作つまみ２０が下方に押圧されない限りは、すなわち取付部材１７が下降しない限りは、第２分割部１９に設けた押圧突起１９ｅが第３皿ばね１６等を含む第３プッシュスイッチを駆動することがない。したがって、この第３プッシュスイッチもオフに保たれる。
【００４５】
［操作つまみの押圧（昇降）操作の検出］
操作つまみ２０が下方に押圧されると、取り付け部材１７の軸部１８ｆ，１９ｄのそれぞれが、基台１の第１長穴５、第２長穴６内を移動して下降し、その第２分割部１９の押圧突起１９ｅが、第３プッシュスイッチの第３皿ばね１６を押圧する。これにより第３皿ばね１６が撓み、その可動接点が中央固定接点４ａに接触し、第３プッシュスイッチからオン信号が出力される。したがって例えば、操作つまみ２０を図１に示す矢印２６方向に回転させた後に、この操作つまみ２０を押圧して第３プッシュスイッチをオンにすれば、操作つまみ２０の所定の一方向の回転を確定させる処理を行なうことができる。同様に、操作つまみ２０を図１に示す矢印２９方向に回転させた後に、この操作つまみ２０を押圧して第３プッシュスイッチをオンにすれば、操作つまみ２０の所定の一方向とは逆方向の回転を確定させる処理を行なうことができる。
【００４６】
［本実施形態の作用効果］
以上のように構成した本実施形態によれば、操作体である操作つまみ２０と、第１回転検出部材である第１プッシュスイッチ、第２回転検出部材である第２プッシュスイッチとの間に、操作つまみ２０の回転を第１プッシュスイッチ、第２プッシュスイッチの駆動として伝える第１カム部材２２と第１揺動部材３２とから成る第１駆動部材、及び第２カム部材２４と第２揺動部材３４とから成る第２駆動部材を設けたことから、第１プッシュスイッチ、第２プッシュスイッチを操作つまみ２０とは異なる位置に配置することができる。すなわち、第１皿ばね１２等を含む第１プッシュスイッチ、第２皿ばね１４等を含む第２プッシュスイッチを操作つまみ２０から離隔させて基台１の位置に設けることができる。したがって、操作つまみ２０の外径寸法が第１プッシュスイッチ、第２プッシュスイッチ、すなわち第１回転検出部材、第２回転検出部材の形状寸法によって制約を受けることがなく、この操作つまみ２０の外径寸法を、操作が可能な限りの小寸法に設定できる。これにより、装置の薄型化を実現できる。
【００４７】
また、第１プッシュスイッチ、第２プッシュスイッチに接続される配線を基台１に例えばインサート成形することができ、簡単で安定した配線接続構造を実現でき、信号出力系統に対する高い信頼性を確保することができる。
【００４８】
また、第１回転検出部材、第２回転検出部材が第１皿ばね１２等を含む第１プッシュスイッチ、第２皿ばね１４等を含む第２プッシュスイッチから成るので、簡単な構成であり、製作が容易である。
【００４９】
同様に、昇降検出部材が第３皿ばね１６等を含む第３プッシュスイッチから成るので、簡単な構成であり、製作が容易である。
【００５０】
また、ラチェット機構、カム部材、揺動部材、及びプッシュスイッチの組み合わせを２組設け、第１ラチェット機構２７、第１カム部材２２、第１揺動部材３２、及び第１プッシュスイッチを介して操作つまみ２０の所定の一方向の回転を検出させ、第２ラチェット機構３０、第２カム部材２４、第２揺動部材３４、及び第２プッシュスイッチを介して操作つまみ２０の逆方向の回転を検出させるようにしたことから、第１プッシュスイッチ、第２プッシュスイッチのそれぞれによって、操作つまみ２０の異なる回転方向も簡単に検出することができる。
【００５１】
また、取付部材１７を昇降可能に基台１に保持させ、取付部材１７を構成する第２分割部１９の押圧突起１９ｅによって第３プッシュスイツチを押圧可能にしたことから、操作つまみ２０の回転と昇降の双方を検出可能な複合操作型電気部品として活用できる。これにより優れた検出機能を確保できると共に、上述したように複合操作型電気部品における薄型化を実現できる。また取付部材１７の昇降の際に、第１プッシュスイッチ、第２プッシュスイッチから信号を出力させないようにすることができ、安定した信号出力性能を確保できる。
【００５２】
また、第１プッシュスイッチ、第２プッシュスイッチ、第３プッシュスイッチのそれぞれを覆う第１接着シート１１、第２接着シート１３、第３接着シート１５を備えていることから、これらの第１〜第３プッシュスイッチに対する優れた耐塵埃性を確保でき、この点でも信頼性の高い装置とすることができる。
【００５３】
なお、上記実施形態では、図１の矢印２６で示す所定の一方向と、同図１の矢印２９で示す逆方向との２方向の操作つまみ２０の回転の検出を実現させているが、いずれか一方向のみの検出で済む場合には、カム部材、揺動部材を含む駆動部材と、プッシュスイッチ等の回転検出部材との組み合わせを単に１組だけ設ける構成とすればよい。
【００５４】
また、操作つまみ２０の昇降操作を検出する必要がない場合には、取付部材１７の第２分割部１９に設けられる押圧突起１９ｅ、及び昇降検出部材である第３プッシュスイッチを除いた構成にすればよい。この場合、基台１に形成される第１長穴５、第２長穴６は、取付部材１７の軸部１８ｆ，１９ｄが挿入可能な円形の穴に設定すればよい。
【図面の簡単な説明】
【００５５】
【図１】本発明の入力装置の一実施形態を示す分解斜視図である。
【図２】本実施形態の組立斜視図である。
【図３】本実施形態の要部斜視図である。
【図４】本実施形態に備えられる基台を示す斜視図である。
【図５】図１の背面側から見た断面部分を含む斜視図である。
【図６】本実施形態に備えられる回転軸、操作つまみ、及びカム部材を示す分解斜視図である。
【図７】本実施形態に備えられるカム部材と揺動部材の関係を示す斜視図である。
【符号の説明】
【００５６】
１    基台
２    第１凹部
２ａ  中央固定接点（第１プッシュスイッチ）〔第１回転検出部材〕
２ｂ  周辺固定接点（第１プッシュスイッチ）〔第１回転検出部材〕
２ｃ  周辺固定接点（第１プッシュスイッチ）〔第１回転検出部材〕
３    第２凹部
３ａ  中央固定接点（第２プッシュスイッチ）〔第２回転検出部材〕
３ｂ  周辺固定接点（第２プッシュスイッチ）〔第２回転検出部材〕
３ｃ  周辺固定接点（第２プッシュスイッチ）〔第２回転検出部材〕
４    第３凹部
４ａ  中央固定接点（第３プッシュスイッチ）〔昇降検出部材〕
４ｂ  周辺固定接点（第３プッシュスイッチ）〔昇降検出部材〕
４ｃ  周辺固定接点（第３プッシュスイッチ）〔昇降検出部材〕
５    第１長穴
６    第２長穴
７    軸穴
８    軸穴
９    軸穴
１０    軸穴
１１    第１接着シート（防塵部材）
１２    第１皿ばね（第１プッシュスイッチ）〔第１回転検出部材〕
１３    第２接着シート（防塵部材）
１４    第２皿ばね（第２プッシュスイッチ）〔第２回転検出部材〕
１５    第３接着シート（防塵部材）
１６    第３皿ばね（第３プッシュスイッチ）〔昇降検出部材〕
１７    取付部材
１８    第１分割部
１８ａ  軸部
１８ｂ  軸部
１８ｃ  軸穴
１８ｄ  回転軸穴
１８ｅ  軸部
１８ｆ  軸部
１９    第２分割部
１９ａ  軸部
１９ｂ  回転軸穴
１９ｃ  軸部
１９ｄ  軸部
１９ｅ  押圧突起
２０    操作つまみ（操作体）
２１    回転軸
２１ａ  端部
２１ｂ  端部
２２    第１カム部材（第１駆動部材）
２２ａ  カム面
２３    第１つば部
２４    第２カム部材（第２駆動部材）
２５    第２つば部
２６    矢印
２７    第１ラチェット機構
２８    第１ラチェットばね
２９    矢印
３０    第２ラチェット機構
３１    第２ラチェットばね
３２    第１揺動部材（第１駆動部材）
３２ａ  係合部
３２ｂ  揺動部
３２ｃ  軸部
３２ｄ  軸部
３２ｅ  押圧突起
３３    軸受部材
３４    第２揺動部材（第２駆動部材）
３４ａ  係合部
３４ｂ  揺動部
３４ｃ  軸部
３４ｄ  軸部
【図１】
2005302569.tif 000003
【図２】
2005302569.tif 000004
【図３】
2005302569.tif 000005
【図４】
2005302569.tif 000006
【図５】
2005302569.tif 000007
【図６】
2005302569.tif 000008
【図７】
2005302569.tif 000009